(57)【要約】【課題】  構成が簡単で安価な貸出管理装置を提供する。また、貸出管理装置の維持が容易にできるようにする。【解決手段】  貸出管理装置１は、複数の貸出物２にそれぞれ取り付けられた錠１３をそれぞれ解放可能とする貸出物キー１９と、貸出物２の貸し出し対象である複数の借主がそれぞれ所有する借主キー２０と、貸出物キー１９と借主キー２０とをそれぞれ挿入、抜出可能とさせる一組の貸出物、借主キー孔２１，２２が各貸出物２毎に形成されたキー挿入装置２３と、各一組の貸出物、借主キー孔２１，２２に挿入された貸出物キー１９と借主キー２０とのうち、いずれか一方のキーのみを選択的にキー孔２１，２２から抜出可能とさせるキー抜出規制装置４２とを備える。【選択図】  図１
2007016420.tif 000002
【特許請求の範囲】
【請求項１】
複数の貸出物にそれぞれ取り付けられた錠をそれぞれ解放可能とする貸出物キーと、上記貸出物の貸し出し対象である複数の借主がそれぞれ所有する借主キーと、上記貸出物キーと借主キーとをそれぞれ挿入、抜出可能とさせる一組の貸出物、借主キー孔が上記各貸出物毎に形成されたキー挿入装置と、上記各一組の貸出物、借主キー孔に挿入された貸出物キーと借主キーとのうち、いずれか一方のキーのみを選択的に上記キー孔から抜出可能とさせるキー抜出規制装置とを備えたことを特徴とする貸出管理装置。
【請求項２】
上記借主キーに、これを所有する借主を特定できる識別子を設けたことを特徴とする請求項１に記載の貸出管理装置。
【請求項３】
上記貸出物キーが、連結具により互いに連結される主、副貸出物キーを備え、上記主貸出物キーが、上記貸出物の錠を解放可能にするようこの錠に形成されたキー孔に挿入、抜出可能とされ、上記副貸出物キーが、上記キー挿入装置の貸出物キー孔に挿入、抜出可能とされたことを特徴とする請求項１、もしくは２に記載の貸出管理装置。
【請求項４】
上記貸出物が、この貸出物を作動させる駆動体と、この駆動体にその作動源として電力を供給するバッテリと、このバッテリへの電源からの電力を受電可能とさせる充電コネクタとを備え、一方、電源側から延出する充電コードを設けると共に、この充電コードの延出端部に連結されて上記キー挿入装置に掛止、離脱可能に掛止され、充電時に上記充電コネクタに接続されるプラグを設け、上記キー挿入装置から上記プラグを離脱させたことを条件として、上記借主キーを上記借主キー孔から離脱可能としたことを特徴とする請求項１から３のうちいずれか１つに記載の貸出管理装置。
【請求項５】
上記キー挿入装置が、その外殻を構成するケーシングと、上記充電コードの中途部に介設されて上記ケーシングに内有される充電器とを備えたことを特徴とする請求項４に記載の貸出管理装置。
【請求項６】
上記各借主キーのキー仕様を互いに相違させると共に、これら借主キーのいずれもが上記キー挿入装置の借主キー孔に挿入、抜出可能とされたことを特徴とする請求項１から５のうちいずれか１つに記載の貸出管理装置。
【発明の詳細な説明】
【技術分野】
【０００１】
本発明は、電動式自転車など複数台用意された貸出物のうちのいずれかを、特定の複数の借主のうちのいずれかに無人にて貸し出す場合に、その貸出状況と返却状況とを管理するための貸出管理装置に関するものである。
【背景技術】
【０００２】
上記貸出管理装置には、従来、下記特許文献１に示されるものがある。この公報のものによれば、貸出管理装置は、所定位置に配置された複数の貸出物である自転車にそれぞれ取り付けられ、これら各自転車を作動不能となるよう施錠する錠と、これら錠をそれぞれ個別に解放可能とするキーと、これらキーをそれぞれ挿入、抜出可能とさせる複数のキー挿入部が形成されたキー挿入装置と、上記キー挿入部に挿入されたキーを上記キー挿入装置に対し解放可能に固定する固定手段と、上記自転車の貸し出し対象である複数の借主がそれぞれ所有するカード用の電子式カードリーダと、上記各機器を電子的に制御する制御装置とを備えている。
【０００３】
上記借主が自転車を借りようとする場合には、まず、この借主が所有するカードをカードリーダに通すことによりユーザ確認が行なわれる。次に、上記制御装置の操作部に対し、所定の操作をすれば、上記固定手段によるキーの固定が解除される。そこで、借主は、上記キー挿入部からキーを抜出し、このキーにより上記錠を解放して自転車を使用することとなる。
【０００４】
上記借主が自転車を返却するときは、上記と逆の手順を行なう。これを簡説すると、まず、自転車を上記所定位置に戻し、これを錠により施錠し、キーをキー挿入装置のキー挿入部に挿入して固定手段により固定させる。これにより、上記自転車の返却が完了する。
【０００５】
上記の場合、自転車が所定位置にあるか否かの判断、キーがキー挿入部に挿入されているか否かの判断、およびキーを固定、固定解除するための固定手段の作動などは、適所に配置された各検出器からの検出信号に基づき、上記制御装置によって電子的に制御されるようになっている。
【０００６】
【特許文献１】特開２００４−２４４８２２号公報
【発明の開示】
【発明が解決しようとする課題】
【０００７】
ところで、上記のような電子制御式の貸出管理装置は、種々の電子機器と、これらを制御する制御装置が必要であって、構成が複雑、かつ、高価と考えられるが、このような装置は、上記貸出物や借主が極めて多数であるような大規模な場合に適していると考えられる。
【０００８】
しかし、借主が共同住宅の住人など、予め住所、氏名等が判明しているような場合であって、借主の構成員が比較的小規模である場合には、前記した電子制御式の貸出管理装置は、上記借主にとって装置の性能が過大で、構成が複雑であり、また、高価過ぎるおそれがある。
【課題を解決するための手段】
【０００９】
本発明は、上記のような事情に注目してなされたもので、本発明の目的は、構成が簡単で安価な貸出管理装置を提供することである。
【００１０】
また、本発明の他の目的は、上記貸出管理装置の維持が容易にできるようにすることである。
【００１１】
請求項１の発明は、複数の貸出物２にそれぞれ取り付けられた錠１３をそれぞれ解放可能とする貸出物キー１９と、上記貸出物２の貸し出し対象である複数の借主がそれぞれ所有する借主キー２０と、上記貸出物キー１９と借主キー２０とをそれぞれ挿入、抜出可能とさせる一組の貸出物、借主キー孔２１，２２が上記各貸出物２毎に形成されたキー挿入装置２３と、上記各一組の貸出物、借主キー孔２１，２２に挿入された貸出物キー１９と借主キー２０とのうち、いずれか一方のキーのみを選択的に上記キー孔２１，２２から抜出可能とさせるキー抜出規制装置４２とを備えたものである。
【００１２】
請求項２の発明は、請求項１の発明に加えて、上記借主キー２０に、これを所有する借主を特定できる識別子４０を設けたものである。
【００１３】
請求項３の発明は、請求項１、もしくは２の発明に加えて、上記貸出物キー１９が、連結具３６により互いに連結される主、副貸出物キー３７，３８を備え、上記主貸出物キー３７が、上記貸出物２の錠１３を解放可能にするようこの錠１３に形成されたキー孔に挿入、抜出可能とされ、上記副貸出物キー３８が、上記キー挿入装置２３の貸出物キー孔２１に挿入、抜出可能とされたものである。
【００１４】
請求項４の発明は、請求項１から３のうちいずれか１つの発明に加えて、上記貸出物２が、この貸出物２を作動させる駆動体６と、この駆動体６にその作動源として電力を供給するバッテリ７と、このバッテリ７への電源からの電力を受電可能とさせる充電コネクタ８とを備え、一方、電源側から延出する充電コード１５を設けると共に、この充電コード１５の延出端部に連結されて上記キー挿入装置２３に掛止、離脱可能に掛止され、充電時に上記充電コネクタ８に接続されるプラグ１６を設け、上記キー挿入装置２３から上記プラグ１６を離脱させたことを条件として、上記借主キー２０を上記借主キー孔２２から離脱可能としたものである。
【００１５】
請求項５の発明は、請求項４の発明に加えて、上記キー挿入装置２３が、その外殻を構成するケーシング２６と、上記充電コード１５の中途部に介設されて上記ケーシング２６に内有される充電器１７とを備えたものである。
【００１６】
請求項６の発明は、請求項１から５のうちいずれか１つの発明に加えて、上記各借主キー２０のキー仕様を互いに相違させると共に、これら借主キー２０のいずれもが上記キー挿入装置２３の借主キー孔２２に挿入、抜出可能とされたものである。
【００１７】
なお、この項において、上記各用語に付記した符号は、本発明の技術的範囲を後述の「実施例」の項や図面の内容に限定解釈するものではない。
【発明の効果】
【００１８】
本発明による効果は、次の如くである。
【００１９】
請求項１の発明は、複数の貸出物にそれぞれ取り付けられた錠をそれぞれ解放可能とする貸出物キーと、上記貸出物の貸し出し対象である複数の借主がそれぞれ所有する借主キーと、上記貸出物キーと借主キーとをそれぞれ挿入、抜出可能とさせる一組の貸出物、借主キー孔が上記各貸出物毎に形成されたキー挿入装置と、上記各一組の貸出物、借主キー孔に挿入された貸出物キーと借主キーとのうち、いずれか一方のキーのみを選択的に上記キー孔から抜出可能とさせるキー抜出規制装置とを備えている。
【００２０】
このため、借主が貸出物を借りようとする場合には、まず、借主は自己が所有する借主キーを上記キー挿入装置の借主キー孔に挿入する一方、上記貸出物キー孔に挿入されていた貸出物キーを抜出して、この貸出物キーにより上記貸出物の錠を解放すればよく、これにより、貸出物の使用が可能となる。この場合、上記借主キーは借主キー孔からの抜出が阻止されて、上記キー挿入装置に取り付けられたままに残される。このため、上記借主キーが他人によって持ち去られることは防止される。
【００２１】
その後、上記借主が貸出物を返却する場合には、この貸出物を戻した後、借主が所有している貸出物キーにより上記錠を施錠する。そして、借主は、上記貸出物キーを上記キー挿入装置の貸出物キー孔に挿入する一方、上記借主キー孔に挿入されていた借主キーを抜出して、この借主キーを回収すればよい。この場合、上記貸出物キーは貸出物キー孔からの抜出が阻止されて、上記キー挿入装置に取り付けられたままに残される。これにより、貸出管理装置は元の状態に戻される。
【００２２】
よって、上記貸出管理装置は、貸出物の貸し出しの管理や返却の管理が、従来の電子式ではなく、機械式に達成されるものであるため、この貸出管理装置の構成は簡単となり、安価に提供できる。
【００２３】
請求項２の発明は、上記借主キーに、これを所有する借主を特定できる識別子を設けている。
【００２４】
このため、上記貸出物が貸し出されているとき、この貸出物がいずれの借主に貸し出されているかは、上記キー挿入装置に残されている借主キーに設けられた識別子により判断できる。そして、このように、上記貸出物の借主が特定されることから、この貸出物を返却することについての借主の責務が明確となる。これにより、借主には、自己が借りている貸出物の管理や返却の義務についての注意が喚起される。よって、貸出物の返却がより確実に行なわれることから、貸出管理装置の維持が容易にできる。
【００２５】
請求項３の発明は、上記貸出物キーが、連結具により互いに連結される主、副貸出物キーを備え、上記主貸出物キーが、上記貸出物の錠を解放可能にするようこの錠に形成されたキー孔に挿入、抜出可能とされ、上記副貸出物キーが、上記キー挿入装置の貸出物キー孔に挿入、抜出可能とされている。
【００２６】
このため、例えば、貸出物を錠と共に新しい他のものに交換した場合、上記キー挿入装置の改造は不要であって、上記した新しい錠を解放可能とする新しい主貸出物キーを、上記貸出物キーにおける古い主貸出物キーと交換するだけで足りる。よって、上記貸出管理装置の維持が、作業上、経済上容易にできる。
【００２７】
請求項４の発明は、上記貸出物が、この貸出物を作動させる駆動体と、この駆動体にその作動源として電力を供給するバッテリと、このバッテリへの電源からの電力を受電可能とさせる充電コネクタとを備え、一方、電源側から延出する充電コードを設けると共に、この充電コードの延出端部に連結されて上記キー挿入装置に掛止、離脱可能に掛止され、充電時に上記充電コネクタに接続されるプラグを設け、上記キー挿入装置から上記プラグを離脱させたことを条件として、上記借主キーを上記借主キー孔から離脱可能としている。
【００２８】
ここで、貸し出されていた貸出物が返却される場合、この貸出物の借主が所有する借主キーはキー挿入装置に取り付けられたままに残されている。このため、借主は、貸出物を戻した後、上記借主キーを借主キー孔から離脱させて回収しようとする。そして、この際、この借主キーを離脱させるための条件として、上記したように上記キー挿入装置からプラグを離脱させることが強要される。そして、借主が、上記キー挿入装置からプラグを離脱させることにより、このプラグを上記貸出物の充電コネクタに接続させることについての注意が喚起される。よって、上記充電コネクタとプラグとを通してのバッテリへの充電が、より確実に行なわれることから、貸出管理装置の確実な維持が容易にできる。
【００２９】
請求項５の発明は、上記キー挿入装置が、その外殻を構成するケーシングと、上記充電コードの中途部に介設されて上記ケーシングに内有される充電器とを備えている。
【００３０】
このため、上記貸出物キーと借主キーとを管理するためのキー挿入装置が充電器の収容に利用されたのであり、よって、貸出管理装置の部品点数を少なく抑制できて、この貸出管理装置の構成を簡単にできる。
【００３１】
請求項６の発明は、上記各借主キーのキー仕様を互いに相違させると共に、これら借主キーのいずれもが上記キー挿入装置の借主キー孔に挿入、抜出可能とされている。
【００３２】
このため、上記各借主キーは、これらの各借主が個人の部屋の玄関錠など個人的に利用できると共に、上記貸出物の借用、返却に利用できる。よって、上記借主キーの利用の自由度が向上して、便利である。
【発明を実施するための最良の形態】
【００３３】
本発明の貸出管理装置に関し、構成が簡単で安価な貸出管理装置を提供する、という目的を実現するため、本発明を実施するための最良の形態は、次の如くである。
【００３４】
即ち、貸出管理装置は、複数の貸出物にそれぞれ取り付けられた錠をそれぞれ解放可能とする貸出物キーと、上記貸出物の貸し出し対象である複数の借主がそれぞれ所有する借主キーと、上記貸出物キーと借主キーとをそれぞれ挿入、抜出可能とさせる一組の貸出物、借主キー孔が上記各貸出物毎に形成されたキー挿入装置と、上記各一組の貸出物、借主キー孔に挿入された貸出物キーと借主キーとのうち、いずれか一方のキーのみを選択的に上記キー孔から抜出可能とさせるキー抜出規制装置とを備えている。
【実施例１】
【００３５】
本発明をより詳細に説明するために、その実施例１を添付の図１−４に従って説明する。
【００３６】
図１−３において、符号１は貸出管理装置であり、この貸出管理装置１は、複数台用意された貸出物２のうちのいずれかを、特定の複数の借主のうちのいずれかに無人にて貸し出す場合に、その貸出状況と返却状況とを管理するためのものである。
【００３７】
上記貸出物２は電動式の自転車である。この貸出物２は、車体３と、この車体３の前後部に支持される前、後車輪４，５と、この後車輪５の人力駆動に加えて、この後車輪５を補助的に作動させる電動機である駆動体６と、この駆動体６にその作動源として電力を供給するバッテリ７と、このバッテリ７への電源からの電力を受電可能とさせる充電コネクタ８とを備えている。
【００３８】
上記各貸出物２は、走行路１０である固定側１１に自立状態となるよう支持されている。上記各貸出物２は、所定位置に車止め１２により位置決めされて、互いに並設されている。上記各貸出物２の車体３には、それぞれ後車輪５の回転を阻止して貸出物２を作動不能となるよう施錠する錠１３が取り付けられている。
【００３９】
不図示の電源側から延出する充電コード１５と、この充電コード１５の延出端部に連結されて上記貸出物２の充電コネクタ８に離脱可能に接続されるプラグ１６と、上記充電コード１５の中途部に介設される充電器１７とが設けられている。そして、上記電源側の電力が上記充電コード１５、充電器１７、プラグ１６、および充電コネクタ８を順次通して上記バッテリ７に供給され、充電可能とされる。
【００４０】
上記貸出管理装置１は、上記錠１３を解放可能とする貸出物キー１９と、上記複数の借主がそれぞれ所有する借主キー２０と、上記固定側１１に取り付けられ、上記貸出物キー１９と借主キー２０とを個別に挿入、抜出可能とさせる一組の貸出物、借主キー孔２１，２２が上記各貸出物２毎に形成されたキー挿入装置２３とを備えている。この場合、一つの貸出物２に対し、その近傍に一つのキー挿入装置２３が設けられている。なお、これらキー挿入装置２３を一箇所に集合させて一体化してもよい。
【００４１】
上記キー挿入装置２３は、上記走行路１０上に立設されるパイプ製スタンド２５と、このスタンド２５の上端部に支持されるケーシング２６と、このケーシング２６の前面板２６ａに取り付けられ、上記貸出物キー孔２１が形成された第１シリンダ錠構造体２７と、上記ケーシング２６の前面板２６ａに取り付けられ、上記借主キー孔２２が形成された第２シリンダ錠構造体２８とを備えている。上記ケーシング２６には上記充電器１７が内有されて、上記ケーシング２６に支持されている。ここで、上記キー挿入装置２３のケーシング２６に対し、上記プラグ１６が掛止、離脱可能とされている。そして、上記キー挿入装置２３にプラグ１６を掛止させたままでは、このプラグ１６を充電コネクタ８には接続できないこととされている。
【００４２】
上記第１、第２シリンダ錠構造体２７，２８は、それぞれケーシング２６の前面板２６ａに締結具２９により固定される第１、第２外筒部材３０，３１と、これら第１、第２外筒部材３０，３１内にあってこれらに対し解除可能に係止されると共に、この係止解除により第１、第２軸心回りに所定角度（約９０°）だけ往、復回動可能とされる第１、第２シリンダ３４，３５とを備えている。これら第１、第２シリンダ３４，３５のうち、第１シリンダ３４に貸出物キー孔２１が形成され、第２シリンダ３５に借主キー孔２２が形成されている。
【００４３】
上記貸出物キー１９は、ワイヤーなどの連結具３６によって互いに連結される主、副貸出物キー３７，３８と他の副貸出物キー３９とを備えている。上記連結具３６による上記連結の解除は、工具を用いる必要があるなど、容易にはできないようになっている。上記主貸出物キー３７は、上記貸出物２の錠１３を解放可能にするようこの錠１３に形成された不図示のキー孔に挿入、抜出可能とされている。なお、上記錠１３を解放して貸出物２を使用している間は、主貸出物キー３７は錠１３のキー孔からは抜出不可で、挿入されたままの状態に保たれる。
【００４４】
上記各貸出物２の錠１３と各主貸出物キー３７とは貸出物２毎に１対１で対応するものであり、つまり、各貸出物２の錠１３の間で、上記主貸出物キー３７に互換性はない。また、上記各副貸出物キー３８は、各キー挿入装置２３毎に１対１で対応するものでり、各キー挿入装置２３の間で、上記副貸出物キー３８に互換性はない。このため、上記各キー挿入装置２３と各貸出物２とは１対１の関係となり、貸出物２を返却すべき場所が一義的に定まる結果となる。また、上記他の副貸出物キー３９は、例えば、固定駐輪器や駐輪場への出入口のキーや、補助の錠前のキーなどである。
【００４５】
上記各借主キー２０のキー仕様は互いに相違している。具体的には、上記各借主キー２０のキー形状は互いに相違している。そして、上記各借主キー２０は、マンション等集合住宅における個人の部屋の玄関錠、もしくは個人用の機器、郵便受け、宅配ロッカーの錠用のものとして借主が個人的に利用可能とされている。
【００４６】
一方、上記したように、各借主キー２０のキー形状は互いに相違しているが、これら借主キー２０のうち、いずれの借主キー２０によっても、上記各キー挿入装置２３の借主キー孔２２への挿入、抜出が可能である。つまり、上記各借主キー２０は各借主キー孔２２に対し逆マスターキーの関係とされている。
【００４７】
上記借主キー２０には、この借主キー２０を所有する借主を特定できる識別子４０が設けられている。この識別子４０は、印刷や刻印された文字、数字、符号などの視認可能なものとされている。
【００４８】
上記の場合、上記各借主キー２０のキー仕様は電子的なものであってもよく、この場合、各借主キー２０における記憶装置の記憶データが互いに相違させられる。なお、上記各借主キー２０のキー仕様は互いに同じであってもよく、具体的には、キー形状を互いに同形同大とし、もしくは、上記各記憶データを互いに同じにしてもよい。また、上記各借主キー２０のつまみ部の形状を互いに相違させ、このような形状そのものを上記識別子４０としてもよい。また、上記識別子４０を電子的な記憶装置として、この記憶装置の記憶データを特定の機器で読み取ることにより、借主が特定されるようにしてもよい。
【００４９】
上記キー挿入装置２３の貸出物キー孔２１に、これに対応する上記貸出物キー１９の副貸出物キー３８を挿入すれば、上記第１外筒部材３０に対する第１シリンダ３４の係止が解除される。そこで、上記副貸出物キー３８を回動させれば、上記第１シリンダ３４は、上記副貸出物キー３８と共に所定角度（約９０°）だけ往、復回動Ａ，Ｂ可能とされている。また、上記第１シリンダ３４の図１−３中実線位置では、上記貸出物キー孔２１からの副貸出物キー３８の抜出は不可とされ、一方、上記第１シリンダ３４の往回動Ａ後の図２中一点鎖線位置では、上記貸出物キー孔２１からの貸出物キー１９の副貸出物キー３８の挿入、抜出が可能とされている。
【００５０】
上記キー挿入装置２３の借主キー孔２２に上記各借主キー２０のうち、いずれかの借主キー２０を挿入すれば、上記第２外筒部材３１に対する第２シリンダ３５の係止が解除される。そこで、上記借主キー２０を回動させれば、上記第２シリンダ３５は、上記借主キー２０と共に所定角度（約９０°）だけ往、復回動Ｃ，Ｄ可能とされている。また、上記第２シリンダ３５の図１−３中実線位置では、上記借主キー孔２２からの借主キー２０の抜出が可能とされる一方、上記第２シリンダ３５の往回動Ｃ後の図２中一点鎖線位置では、上記借主キー孔２２からの借主キー２０の抜出は不可とされている。
【００５１】
上記貸出管理装置１は、上記各一組の貸出物、借主キー孔２１，２２に挿入された貸出物キー１９と借主キー２０とのうち、いずれか一方のキーのみを選択的に上記キー孔２１，２２から抜出可能とさせるキー抜出規制装置４２を備えている。
【００５２】
上記キー抜出規制装置４２は、上記ケーシング２６内で、上記第１シリンダ３４に固着される第１レバー４３と、上記ケーシング２６内で、上記第２シリンダ３５に固着される第２レバー４４とを備えている。
【００５３】
図１−３中実線は、貸出管理装置１の「元の状態」を示している。即ち、上記第１レバー４３は上記第１シリンダ３４と共に元の位置（図１−３中実線）にあり、このとき、上記第２シリンダ３５と共に元の位置（図１−３中実線）にある上記第２レバー４４が上記第１レバー４３の往回動Ａを阻止するようになっている。
【００５４】
このため、上記「元の状態」（図１−３中実線）では、貸出物、借主キー孔２１，２２に挿入された貸出物キー１９と借主キー２０とのうち、貸出物キー１９の副貸出物キー３８は貸出物キー孔２１からの抜出が阻止され、借主キー２０のみが借主キー孔２２から抜出可能とされている。
【００５５】
上記「元の状態」（図１−３中実線）では、上記借主キー孔２２に借主キー２０を挿入させると、上記借主キー孔２２に挿入された借主キー２０、第２シリンダ３５、および第２レバー４４は一体的に往、復回動Ｃ，Ｄ可能とされる。
【００５６】
図２中一点鎖線、図４は、貸出管理装置１の「回動状態」を示している。即ち、上記借主キー孔２２に挿入された借主キー２０、第２シリンダ３５、および第２レバー４４が往回動Ｃさせられている。これにより、上記貸出物キー孔２１に挿入された貸出物キー１９、第１シリンダ３４、および第１レバー４３の一体的な往、復回動Ａ，Ｂが可能とされ、これらが一体的に往回動Ａさせられている。そして、このように往回動Ａした上記第１レバー４３により第２レバー４４の復回動Ｄが阻止される。
【００５７】
このため、上記「回動状態」（図２中一点鎖線、図４）では、貸出物、借主キー孔２１，２２に挿入された貸出物キー１９と借主キー２０とのうち、貸出物キー１９のみが貸出物キー孔２１から抜出可能とされ、借主キー２０は借主キー孔２２からの抜出が阻止される。
【００５８】
上記貸出管理装置１を上記「回動状態」（図２中一点鎖線、図４）から上記「元の状態」（図１−３中実線）に戻す場合には、まず、上記貸出物キー孔２１に貸出物キー１９を挿入し、このように挿入された貸出物キー１９、第１シリンダ３４、および第１レバー４３を一体的に復回動Ｂさせ、次に、上記借主キー孔２２に挿入された借主キー２０、第２シリンダ３５、および第２レバー４４を一体的に復回動Ｄさせればよい。
【００５９】
上記キー挿入装置２３のケーシング２６の前面板２６ａには、開口４６が形成されている。一方、上記ケーシング２６内に上記プラグ１６を掛止、離脱可能とさせる掛止体４７が設けられ、この掛止体４７は上記ケーシング２６に支持されている。上記掛止体４７には、その一端面に開口して、上記プラグ１６を掛止可能とさせる掛止孔４８が形成されている。上記ケーシング２６の前面板２６ａの内面と上記掛止体４７の一端面との間には隙間４９が形成され、この隙間４９を挟んで、上記開口４６と掛止孔４８とが互いに対向している。上記掛止体４７の掛止孔４８に対し、上記プラグ１６が上記開口４６を通し嵌入されて掛止可能とされる。
【００６０】
上記掛止体４７の掛止孔４８からプラグ１６を離脱させた状態、かつ、上記「元の状態」では、上記第１、第２レバー４３，４４の少なくとも一部分が上記隙間４９に入り込んで、上記開口４６と掛止孔４８の少なくとも一部分を塞いでいる。このため、上記掛止体４７の掛止孔４８に対する上記プラグ１６の掛止は、上記第１、第２レバー４３，４４の一部分によって阻止される。
【００６１】
一方、上記貸出管理装置１を上記「回動状態」にさせると、上記第１、第２レバー４３，４４は上記隙間４９から離反し、上記開口４６と掛止孔４８を全開状態にさせる。このため、上記掛止体４７の掛止孔４８に対する上記プラグ１６の掛止、離脱が可能となる。
【００６２】
このため、上記貸出管理装置１を上記「回動状態」から「元の状態」にして、上記借主キー２０を上記借主キー孔２２から離脱可能にさせるためには、上記固定側１１であるケーシング２６に支持された掛止体４７から上記プラグ１６を離脱させておくことが条件とされる。
【００６３】
上記貸出管理装置１の「元の状態」（図１−３中実線）から、借主が貸出物２を借りようとする場合につき説明する。
【００６４】
上記貸出管理装置１の「元の状態」では、上記貸出物キー１９はキー挿入装置２３の貸出物キー孔２１からの抜出が阻止されていて、上記キー挿入装置２３に取り付けられたままに残されている。そこで、借主は、残された貸出物キー１９に対応する複数の貸出物２のうちから、所望の貸出物２を選択し、次に、その貸出物２に対応するキー挿入装置２３の借主キー孔２２に対し、自己が所有する借主キー２０を挿入し、往回動Ｃさせる（図２中一点鎖線、図４）。すると、上記借主キー孔２２からの借主キー２０の抜出が阻止されて、この借主キー２０はキー挿入装置２３に取り付けられたままに残される（図４）。
【００６５】
そして、上記借主キー２０の往回動Ｃにより、上記キー抜出規制装置４２による貸出物キー１９の往回動Ａの阻止が解除される。そこで、上記貸出物キー１９を往回動Ａさせると、貸出管理装置１は「回動状態」（図２中一点鎖線、図４）となり、上記貸出物キー孔２１からの貸出物キー１９の抜出が可能となる。そこで、上記借主は、上記貸出物キー孔２１から貸出物キー１９を抜出し（図４）、この貸出物キー１９により上記錠１３を解放して、貸出物２を借りて使用することとなる。
【００６６】
上記貸出物２を借りるに際しては、上記貸出物２の充電コネクタ８からプラグ１６を離脱させる。そして、このプラグ１６を上記掛止体４７の掛止孔４８に掛止させ（図１，２中一点鎖線、図４）、これにより、上記充電コード１５とプラグ１６とを収納状態にする。
【００６７】
上記貸出物２が貸し出されているとき、上記貸出管理装置１は、上記「回動状態」に保持されており、上記借主キー２０を借主キー孔２２から抜出することは不可である。このため、上記借主キー２０はキー挿入装置２３に取り付けられたままに残され、上記借主キー２０が他人によって持ち去られることは防止される。
【００６８】
また、上記貸出物２が貸し出されているとき、この貸出物２がいずれの借主に貸し出されているかは、上記キー挿入装置２３に残されている借主キー２０に設けられた識別子４０により判断できる。そして、このように、上記貸出物２の借主が特定されることから、この貸出物２を返却することについての借主の責務が明確となる。これにより、借主には、自己が借りている貸出物２の管理や返却の義務についての注意が喚起される。よって、貸出物２の返却がより確実に行なわれることから、貸出管理装置１の維持が容易にできる。
【００６９】
上記「回動状態」（図１，２中一点鎖線、図４）の貸出管理装置１に対し、上記借主が貸出物２を返却する場合につき説明する。
【００７０】
まず、借主は、貸出物２を元の所定位置に戻す。次に、上記プラグ１６を上記掛止体４７の掛止孔４８から離脱させて、上記貸出物２の充電コネクタ８に接続させ、バッテリ７への充電を再開させると共に、貸出物２の錠１３を施錠し、貸出物キー１９を錠１３から抜出する。次に、上記キー挿入装置２３の貸出物キー孔２１に貸出物キー１９を挿入し、復回動Ｂさせる（図１−３中実線）。すると、上記貸出物キー孔２１からの貸出物キー１９の抜出が阻止されて、この貸出物キー１９はキー挿入装置２３に取り付けられたままに残される（図１−３中実線）。
【００７１】
そして、上記した貸出物キー１９の復回動Ｂにより、上記キー抜出規制装置４２による借主キー２０の復回動Ｄの阻止が解除される。そこで、上記借主キー２０を復回動Ｄさせると、貸出管理装置１は「元の状態」（図１−３中実線）に戻り、上記借主キー孔２２からの借主キー２０の抜出が可能となる。そこで、上記借主は、上記借主キー孔２２から借主キー２０を抜出し（図１−３中実線）、上記返却が完了する。
【００７２】
ここで、仮に、上記貸出物２を、これと対応しないキー挿入装置２３近傍の所定位置に戻したとする。この場合、その貸出物キー１９（主貸出物キー３７、及び副貸出物キー３８）は上記キー挿入装置２３とは対応しないため、上記キー挿入装置２３の貸出物キー孔２１に貸出物キー１９を挿入し、復回動Ｂさせようとしても、このような挿入や復回動Ｂは不可である。よって、借主は、貸出物２の返却場所を誤っていることに容易に気付くこととなる。このため、正しい所定位置への貸出物２の返却が達成される。
【００７３】
また、仮に、上記プラグ１６を掛止体４７の掛止孔４８から離脱させないまま、上記貸出物キー孔２１に貸出物キー１９を挿入し、この貸出物キー１９を復回動Ｂさせたとする。すると、この復回動Ｂの途中で、上記キー抜出規制装置４２の第１レバー４３は、上記掛止体４７の掛止孔４８に掛止されたままのプラグ１６に当接し、上記貸出物キー１９の復回動Ｂが完結できなくなる。また、これにより、借主キー２０の復回動Ｄも上記貸出物キー１９と共に回動する第１レバー４３に邪魔されて、完結できなくなる。
【００７４】
このため、上記貸出物２の返却により、借主が自己の借主キー２０を回収するためには、上記掛止体４７の掛止孔４８から上記プラグ１６を離脱させることが強要される。そして、借主が上記固定側１１である掛止体４７からプラグ１６を離脱させることにより、このプラグ１６を上記貸出物２の充電コネクタ８に接続させることについての注意が喚起される。よって、上記充電コネクタ８とプラグ１６とを通してのバッテリ７への充電が、より確実に行なわれることから、貸出管理装置１の確実な維持が容易にできる。
【００７５】
また、前記したように、貸出物キー１９が、連結具３６により互いに連結される主、副貸出物キー３７，３８を備え、上記主貸出物キー３７が、上記貸出物２の錠１３を解放可能にするようこの錠１３に形成されたキー孔に挿入、抜出可能とされ、上記副貸出物キー３８が、上記キー挿入装置２３の貸出物キー孔２１に挿入、抜出可能とされている。
【００７６】
このため、例えば、貸出物２を錠１３と共に新しい他のものに交換した場合、上記キー挿入装置２３における第１シリンダ３４を交換するというようなキー挿入装置２３の改造は不要であって、上記した新しい錠１３を解放可能とする新しい主貸出物キー３７を、上記貸出物キー１９における古い主貸出物キー３７と交換するだけで足りる。よって、上記貸出管理装置１の維持が、作業上、経済上容易にできる。
【００７７】
また、前記したように、貸出物２が、この貸出物２を作動させる駆動体６と、この駆動体６にその作動源として電力を供給するバッテリ７と、このバッテリ７への電源からの電力を受電可能とさせる充電コネクタ８とを備え、一方、電源側から延出する充電コード１５を設けると共に、この充電コード１５の延出端部に連結されて上記キー挿入装置２３に掛止、離脱可能に掛止され、充電時に上記充電コネクタ８に接続されるプラグ１６を設け、上記キー挿入装置２３から上記プラグ１６を離脱させたことを条件として、上記借主キー２０を上記借主キー孔２２から離脱可能としている。
【００７８】
ここで、貸し出されていた貸出物２が返却される場合、この貸出物２の借主が所有する借主キー２０はキー挿入装置２３に取り付けられたままに残されている。このため、借主は貸出物２を元の所定位置に戻した後、上記借主キー２０を借主キー孔２２から離脱させて回収しようとする。そして、この際、この借主キー２０を離脱させるための条件として、上記したように上記キー挿入装置２３からプラグ１６を離脱させることが強要される。そして、借主が、上記キー挿入装置２３からプラグ１６を離脱させることにより、このプラグ１６を上記貸出物２の充電コネクタ８に接続させることについての注意が喚起される。よって、上記充電コネクタ８とプラグ１６とを通してのバッテリ７への充電が、より確実に行なわれることから、貸出管理装置１の確実な維持が容易にできる。
【００７９】
また、前記したように、キー挿入装置２３が、その外殻を構成するケーシング２６と、上記充電コード１５の中途部に介設されて上記ケーシング２６に内有される充電器１７とを備えている。
【００８０】
このため、上記貸出物キー１９と借主キー２０とを管理するためのキー挿入装置２３が充電器１７の収容に利用されたのであり、よって、貸出管理装置１の部品点数を少なく抑制できて、この貸出管理装置１の構成を簡単にできる。
【００８１】
上記各借主キー２０のキー仕様を互いに相違させると共に、これら借主キー２０のいずれもが上記キー挿入装置２３の借主キー孔２２に挿入、抜出可能とされ、その挿入によって、この借主キー孔２２と共に第２シリンダ３５と第２レバー４４とが往、復回動Ｃ，Ｄ可能とされている。
【００８２】
このため、上記各借主キー２０は、これらの各借主が個人の部屋の玄関錠など個人的に利用できると共に、上記貸出物２の借用、返却に利用できる。よって、上記借主キー２０の利用の自由度が向上して、便利である。
【００８３】
なお、以上は図示の例によるが、貸出物２は単なる自転車であってもよく、自動二輪車、自動車、可搬式の機器などであってもよい。また、上記貸出物キー１９の主貸出物キー３７と副貸出物キー３８のうち、副貸出物キー３８を廃止し、主貸出物キー３７を直接キー挿入装置２３の貸出物キー孔２１に対し、挿入、抜出するようにしてもよい。また、上記連結具３６は主貸出物キー３７と副貸出物キー３８の少なくともいずれか一方に一体的に形成されたものであってもよい。
【００８４】
また、図例では、上記貸出物２はキー挿入装置２３の前側に車止め１２により位置決めされて駐車させられているが、貸出物２を上記キー挿入装置２３の後側に駐車させるようにしてもよく、この場合、このキー挿入装置２３のスタンド２５を上記車止め１２に一体的に形成してもよい。
【００８５】
以下の図５−８は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００８６】
本発明をより詳細に説明するために、その実施例２を添付の図５−８に従って説明する。
【００８７】
図５，６において、各借主キー２０は、それぞれ複数の円形の貫通孔５１ａ，５１ｂが形成されたプラスチック製カードで構成されている。上記各借主キー２０のキー仕様は互いに相違している。具体的には、上記各借主キー２０における貫通孔５１のうち、一部の貫通孔５１ａの構成（数、形状、および配置）と大きさとは、各借主キー２０同士で互いに共通し、他部の貫通孔５１ｂのそれの少なくとも一部分は、各借主キー２０同士で互いに相違している。
【００８８】
上記キー挿入装置２３は上記貸出物キー孔２１が形成されたシリンダ錠構造体５２を備えている。このシリンダ錠構造体５２は、上記ケーシング２６の前面板２６ａに締結具５４により固定される外筒部材５３と、この外筒部材５３内にあってこれに対し解除可能に係止されると共に、この係止解除により軸心回りに所定角度（約９０°）だけ往、復回動可能とされるシリンダ５５と、このシリンダ５５に固着されるレバー５６とを備え、上記シリンダ５５に上記貸出物キー孔２１が形成されている。
【００８９】
上記キー挿入装置２３は、更に上記借主キー孔２２が形成されたスライド錠構造体５８を備えている。このスライド錠構造体５８はケーシング２６内に設けられて、前後方向にスライド可能となるよう不図示のブラケットにより上記ケーシング２６に支持されている。上記スライド錠構造体５８は前方に向かうよう不図示のばねにより付勢されている。上記ばねの付勢力により前方移動したスライド錠構造体５８は、このスライド錠構造体５８が上記前面板２６ａに当接することにより、それ以上の前方移動が阻止される（図５−７中実線）。
【００９０】
上記ケーシング２６の前面板２６ａには、正面視で上記スライド錠構造体５８の輪郭より若干小さめの開口５９が形成され、この開口５９と上記スライド錠構造体５８の借主キー孔２２とは互いに対向している。上記開口５９を通し上記借主キー孔２２に各借主キー２０が挿入、抜出可能とされている。上記借主キー孔２２の開口縁部の一部分に浅い凹部６０が形成されている。上記借主キー孔２２に完全没入状態で挿入された借主キー２０の前縁部の一部が、上記凹部６０において指先で把持可能とされ、これにより、上記借主キー孔２２から借主キー２０が抜出可能とされている。
【００９１】
上記スライド錠構造体５８が上記ケーシング２６の前面板２６ａに当接した状態で、上記借主キー孔２２から上記借主キー２０を抜出すると、上記スライド錠構造体５８は上記ケーシング２６に自動的に施錠され、このケーシング２６に固定されるようになっている（図５−７中実線）。
【００９２】
上記ケーシング２６へのスライド錠構造体５８の施錠状態で、上記開口５９を通し、上記借主キー孔２２に借主キー２０を挿入すれば、この借主キー２０における各貫通孔５１のうち、一部の貫通孔５１ａのみの働きにより、上記ケーシング２６に対するスライド錠構造体５８の施錠が解放され、スライド可能とされる。そこで、上記ばねの付勢力に対抗して上記スライド錠構造体５８を後方に所定寸法押動する。
【００９３】
すると、図７中一点鎖線、および図８で示すように、上記スライド錠構造体５８は、上記ケーシング２６に対し不図示の係止具により係脱可能に係止されるようになっている。また、この際、上記ケーシング２６の前面板２６ａと、上記のように後方移動した上記スライド錠構造体５８の前面との間には隙間６１が形成される。上記のようにスライド錠構造体５８が後方移動して係止された状態で、このスライド錠構造体５８を後方にもう一度押圧すると、上記係止が自動的に解除されて、このスライド錠構造体５８はばねの付勢力により上記前面板２６ａに当接するまで前方移動させられ、図５−７中実線で示した元の状態に戻る。
【００９４】
上記借主キー孔２２に借主キー２０を挿入し、上記スライド錠構造体５８を後方移動させて隙間６１を形成させた状態で、上記貸出物キー孔２１に貸出物キー１９を挿入してこの貸出物キー１９を回動させれば、この貸出物キー１９と共に上記レバー５６が所定角度（約９０°）だけ、往、復回動Ｅ，Ｆ可能とされる。
【００９５】
図５−７中実線は、貸出管理装置１の「元の状態」を示している。この「元の状態」では、上記キー挿入装置２３の貸出物、借主キー孔２１，２２に挿入された貸出物キー１９と借主キー２０とのうち、貸出物キー１９は貸出物キー孔２１からの抜出が阻止され、借主キー２０のみが借主キー孔２２から抜出可能とされている。また、上記「元の状態」では、上記レバー５６が上記開口４６と掛止孔４８とのそれぞれ一部分を塞いでいる。
【００９６】
図５−７中一点鎖線、図８は、貸出管理装置１の「回動状態」を示している。この「回動状態」では、上記借主キー孔２２に借主キー２０が挿入されて、ケーシング２６へのスライド錠構造体５８の施錠が解放されている。また、このスライド錠構造体５８は上記借主キー２０を伴って後方移動させられ、上記ケーシング２６に隙間６１が形成された状態で係止されている。一方、上記貸出物キー孔２１に挿入された貸出物キー１９、シリンダ５５、およびレバー５６は往回動Ｅされており、この際、上記レバー５６は上記ケーシング２６の前面板２６ａとスライド錠構造体５８との間の隙間６１に入り込み、上記借主キー孔２２と開口５９とのそれぞれ少なくとも一部分が塞がれることとされている。
【００９７】
このため、上記「回動状態」では、貸出物、借主キー孔２１，２２に挿入された貸出物キー１９と借主キー２０とのうち、貸出物キー１９のみが貸出物キー孔２１から抜出可能とされ、借主キー２０は借主キー孔２２からの抜出が上記レバー５６によって阻止されている。
【００９８】
上記貸出管理装置１による貸出物２の貸し出し、返却は、前記実施例と同様である。
【００９９】
ここで、前記したように、上記借主キー２０の貫通孔５１を全体的にみれば、各借主キー２０の仕様は互いに相違している。このため、これら各借主キー２０は、これらの各借主が個人の部屋の玄関錠などとして個人的に利用可能とされている。
【０１００】
一方、前記したように、各借主キー２０の貫通孔５１のうち、一部の貫通孔５１ａは構成と大きさとは、各借主キー２０同士で互いに共通している。そして、上記ケーシング２６に対するスライド錠構造体５８の施錠を解放する場合には、上記各借主キー２０の一部の貫通孔５１ａのみが働くこととされている。このため、上記各借主キー２０のいずれによっても、上記借主キー孔２２への挿入、抜出が可能であって、これにより、上記ケーシング２６に対するスライド錠構造体５８の施錠やその解放が可能とされている。つまり、上記各借主キー２０は各借主キー孔２２に対し逆マスターキーの関係とされている。
【０１０１】
なお、以上は図示の例によるが、借主キー２０は金属製など板状とし、これの異なる位置に溝を刻んだようなものであってもよい。また、上記貸出物キー１９は、主貸出物キー３７、副貸出物キー３８、および他の副貸出物キー３９を備えていてもよい。
【図面の簡単な説明】
【０１０２】
【図１】実施例１を示し、貸出管理装置の全体側面図である。
【図２】実施例１を示し、キー挿入装置の部分正面図である。
【図３】実施例１を示し、キー挿入装置の側面部分破断断面図である。
【図４】実施例１を示し、作用を説明する図で図２に相当する図である。
【図５】実施例２を示し、図２に相当する図である。
【図６】実施例２を示し、キー挿入装置の平面断面図である。
【図７】実施例２を示し、キー挿入装置の側面断面図である。
【図８】実施例２を示し、作用を説明する図で図５に相当する図である。
【符号の説明】
【０１０３】
１    貸出管理装置
２    貸出物
６    駆動体
７    バッテリ
８    充電コネクタ
１１  固定側
１３  錠
１５  充電コード
１６  プラグ
１７  充電器
１９  貸出物キー
２０  借主キー
２１  貸出物キー孔
２２  借主キー孔
２３  キー挿入装置
２６  ケーシング
２６ａ  前面板
２７  第１シリンダ錠構造体
２８  第２シリンダ錠構造体
３６  連結具
３７  主貸出物キー
３８  副貸出物キー
４０  識別子
４２  キー抜出規制装置
４３  第１レバー
４４  第２レバー
４６  開口
４７  掛止体
４８  掛止孔
４９  隙間
５６  レバー
５８  連動体
５９  開口
Ａ    往回動
Ｂ    復回動
Ｃ    往回動
Ｄ    復回動
Ｅ    往回動
Ｆ    復回動
【図１】
2007016420.tif 000003
【図２】
2007016420.tif 000004
【図３】
2007016420.tif 000005
【図４】
2007016420.tif 000006
【図５】
2007016420.tif 000007
【図６】
2007016420.tif 000008
【図７】
2007016420.tif 000009
【図８】
2007016420.tif 000010